(57)【特許請求の範囲】
【請求項１】
外表面に識別用の光学コードが付された、検体を封入する封入容器を、袋内部に収容して移送するための検体移送用袋であって、
矩形状シートからなる袋表材と袋裏材とから構成され、一側縁に、前記封入容器を挿入して封緘される開口部が形成されてなり、
前記袋表材と袋裏材には、袋内部に収容した封入容器に付された光学コードを読み取り可能とする半透明性の読取窓部を備え、袋表材と袋裏材との該読取窓部を除く部位を、前記光学コードを読取不能とすると共に、
前記読取窓部は、袋内部に収容した封入容器の先端が該袋内部の下底部に達した状態で、該封入容器の光学コードを臨むことができる位置に設けられ、
さらに読取窓部は、袋表材に形成された第一窓部と袋裏材に形成された第二窓部とから構成され、該第一窓部と第二窓部とが、一側縁を介して連成されていることを特徴とする検体移送用袋。
【請求項２】
細長い筒状の封入容器を収容するものであって、
読取窓部は、長手方向と略直交する横方向長さを、該封入容器の外周長と略同じとしたものであることを特徴とする請求項１項に記載の検体移送用袋。
【請求項３】
細長い筒状の封入容器を収容するものであって、
開口部の拡開幅が、封入容器の最大外径よりも大きく且つ該最大外径の３倍以下であると共に、袋内部の長さが、封入容器の容器長よりも大きく且つ該容器長の２倍以下であることを特徴とする請求項１又は請求項２に記載の検体移送用袋。
【発明の詳細な説明】
【技術分野】
【０００１】
本発明は、検体を封入した封入容器を移送するために用いられる検体移送用袋に関するものである。
【背景技術】
【０００２】
例えば、健康診断で採取した検尿や検便などの検体を検査機関に移送する際には、該検体を所定の封入容器に封入し、さらに該封入容器を所定の移送用袋に封緘することが一般的である。この構成によれば、移送中に、封入容器と移送用袋とによって検体を二重に保護できる。こうした構成の場合には、検査機関での取り間違いを防止するために、封入容器と移送用袋とに、患者を識別するための表示が夫々貼付される。この識別用表示としては、患者氏名の記載や、識別用の光学コード（例えば、バーコード等）等が適用されており、特に光学コードは誤認を防止する効果が高いことから一般的に使用されている。こうした光学コードを貼付した移送用袋は、例えば特許文献１により提案されている。
【０００３】
こうした移送用袋を、健康診断で検尿を移送する場合について説明する。例えば、被験者が自宅などで採取した検尿を健診機関まで持参する場合には、該検尿を封入した封入容器を前記移送用袋に入れた状態で、該健診機関に持参する。ここで、移送用袋には、被験者の情報を示す識別用の光学コードが予め貼付されるが、封入容器には、こうした被験者の情報を示す光学コードは貼付されていない。そのため、健診機関では、封入容器を収容した移送用袋を受け取ると、該移送用袋の光学コードを所定のコード読取装置で読み込む。そして、読み込んだ移送用袋の光学コードに対応する新たな識別用の光学コードを生成し、この新たな光学コードを封入容器に貼付する。こうして、移送用袋に貼付される識別用の光学コードと封入容器に貼付された識別用の光学コードとが一対となるように、両者を関係付ける。これにより、健診機関から所定の検査機関に至るまで、袋に貼付された光学コードによって検体の確認を行う。そして、検査機関に移送されると、封入容器に封入した検尿の検査を行う。
【先行技術文献】
【特許文献】
【０００４】
【特許文献１】特開平７−２２９８９４号公報
【発明の概要】
【発明が解決しようとする課題】
【０００５】
上記した従来構成の移送用袋（特許文献１）は、内部に封入した封入容器を視認不能とする不透明な紙製の袋が適用されており、移送中に、該封入容器内の検体（尿や便など）を外部から視認できないようにしている。そのため、上述したように健診機関から検査機関で封入容器を取り出すまでの間では、移送用袋の光学コードに基づいて確認作業を行う。そして、通常、健診機関から移送された後は、検査機関の検査装置（分析装置）の直前まで、封入容器を移送用袋から取り出さない。そのため、上述した移送用袋の光学コードと封入容器の光学コードとが正確に関係付けられていることが、必須となっている。
【０００６】
ところが、移送用袋の光学コードと封入容器の光学コードとを関係付ける作業は、上述したように、被験者から持ち込まれた後に、移送用袋から一旦取り出して行わなければならないことから、作業者による作業が介在する。そのため、封入容器への光学コードの貼付間違いや、封入容器を移送用袋に戻す際の取り間違いを防ぐために、一度に多数の作業を実施できず、作業効率が低くなっている。さらに、作業者は、前記間違いを生じないように、細心の注意が必要であり、これも作業効率を低下する要因となっている。一方、こうした作業は、前記のように作業効率が低いだけでなく、作業者の行為によるものであることから、前記関係付けが確実に正しいとは言い難く、間違いの発生に対する不安を完全に払拭できるものでは無い。そして、もし仮に、移送用袋の光学コードと封入容器の光学コードとの関係が間違っていた場合には、正確な関係付けを回復するために、多大な労力を必要とすると共に、検査の信頼性の低下も懸念される。特に、健康診断では、多数の検体が集中することから、仮に間違いが生じた場合にその回復のために極めて大きな労力を要する。
【０００７】
また、移送用袋の光学コードと封入容器の光学コードとを関係付ける作業では、移送用袋から、検尿を封入した封入容器を取り出し、その後に、該封入容器を移送用袋に戻すことが必要となる。そのため、作業中に、作業者が封入容器に触れる頻度が多くなる。こうして作業者が封入容器に触れることは、衛生上、好ましいものでなく、該封入容器との接触回数を可及的に低減することが求められる。
【０００８】
尚、上述した問題点は、予め、移送用袋と封入容器との両者に夫々光学コードが貼付されていた場合にあっても、両方の光学コードが独立して存在することから、検査機関での検査までの過程で、両者の関係が正しいことを確認する必要がある。そして、この確認作業では、移送用袋から封入容器を取り出すことが必要であるため、上述した問題が同様に生じ得る。
【０００９】
本発明は、上述した問題点を解決するためのものであって、検体の管理に要する作業の作業性を向上すると共に、該検体を正確かつ安定して管理し得る検体移送用袋を提案するものである。
【課題を解決するための手段】
【００１０】
本発明は、外表面に識別用の光学コードが付された、検体を封入する封入容器を、袋内部に収容して移送するための検体移送用袋であって、矩形状シートからなる袋表材と袋裏材とから構成され、一側縁に、前記封入容器を挿入して封緘される開口部が形成されてなり、前記袋表材と袋裏材との少なくとも一方に、袋内部に収容した封入容器に付された光学コードを読み取り可能とする半透明性の読取窓部を備え、袋表材と袋裏材との該読取窓部を除く部位を、前記光学コードを読取不能とし、前記読取窓部が、袋内部に収容した封入容器の光学コードを臨む位置に設けられていることを特徴とする検体移送用袋である。
【００１１】
かかる構成によれば、封入容器を袋内部に収容した状態で、該封入容器に付された光学コードを読取窓部を介して読み取ることができるため、検体を採取してから検査するまでの間で該検体を正確かつ安定して管理することができる。これにより、本構成によれば、上述した従来構成のように移送用袋と封入容器とを関係付ける作業を必要としないことから、該作業に要する多大な労力と時間とを削減することができる。これに伴って、前記作業で、検体を封入した封入容器に触れる頻度が増加するという問題を、本構成によれば解決でき、衛生上も優れている。また、本構成では、読取窓部が封入容器の光学コードを臨む位置に設けられていることから、該光学コードを読み取る作業を比較的容易に行うことができ、該作業の作業性に優れている。
【００１２】
また、本構成では、読取窓部を除く部位が光学コードを読取不能であることから、当該部位では、袋内部に封入した封入容器を視認不能または視認困難である。加えて、読取窓部が半透明性であることから、袋内部に封入容器を封入した状態で、該封入容器内の検体を外部から視認し難くなっている。そのため、例えば、健康診断などで被験者自らが、検尿や検便を健診機関に持参する場合に、その移送中における該被験者に生ずる羞恥心を可及的に抑制することができる。ここで、読取窓部を除く部位は、不透明または透光性の低い所定色であることが好適である。
【００１３】
尚、本構成は、検尿や検便に限らず、採血した血液や細胞などを移送する場合にも適用される。さらには、人間以外の動物の血液などの移送にも適用できる。
【００１４】
上述した本発明の検体移送用袋にあって、読取窓部は、袋内部に収容された封入容器の先端が該袋内部の下底部に達した状態で、該封入容器の光学コードを臨む位置に設けられている構成が提案される。
【００１５】
かかる構成によれば、封入容器を、その先端が袋内部の下底部に達した状態とすることによって、該袋内部に収容した封入容器の光学コードを一層容易かつ安定して読み取ることができる。これにより、封入容器の光学コードを読み取る作業に要する手間を一層軽減でき、該作業性を向上できる。
【００１６】
上述した本発明の検体移送用袋にあって、読取窓部は、袋表材に形成された第一窓部と袋裏材に形成された第二窓部とから構成され、該第一窓部と第二窓部とが、一側縁を介して連成されている構成が提案される。
【００１７】
かかる構成によれば、袋内部に収容された封入容器の光学コードが、該封入容器の回動によって表側や裏側に位置した場合にも、読取窓部を介して該光学コードを容易に読み取ることが可能である。特に、読取窓部が一側縁を介して連成されていることによって、光学コードの位置を容易に確認でき、該光学コードの読取作業に要する手間を一層軽減できる。
【００１８】
上述した本発明の検体移送用袋にあって、細長い筒状の封入容器を収容するものであって、読取窓部は、長手方向と略直交する横方向長さを、該封入容器の外周長と略同じとしたものである構成が提案される。
【００１９】
かかる構成によれば、読取窓部を封入容器の外周面に倣わせることによって、該封入容器の光学コードの位置を容易かつ確実に確認でき、該光学コードを一層容易かつ安定して読み取ることができる。
【００２０】
上述した本発明の検体移送用袋にあって、細長い筒状の封入容器を収容するものであって、開口部の拡開幅が、封入容器の最大外径よりも大きく且つ該最大外径の３倍以下であると共に、袋内部の長さが、封入容器の容器長よりも大きく且つ該容器長の２倍以下である構成が提案される。
【００２１】
かかる構成によれば、封入容器を収容した状態で、袋内部での該封入容器の移動を抑制できる。そのため、袋内部に収容した封入容器を、その光学コードが読取窓部を臨む位置で保持し易い。これにより、袋内部の封入容器の光学コードを読み取る際に、該光学コードを一層容易に読み取ることができ、該読取作業に要する手間を一層軽減できる。
【００２２】
尚、本構成にあって、開口部の拡開幅は、封入容器の最大外径よりも大きく且つ該最大外径の２．５倍以下の寸法である構成が好適であり、さらには、該拡開幅が、封入容器の最大外径の１．２５倍以上とする構成が好適である。また、袋内部の長さは、容器長の１．５倍以下である構成が好適であり、さらには、容器長の１．２倍以上である構成が好適である。こうした構成とすることによって、袋内部での該封入容器の移動を一層抑制できる。
【発明の効果】
【００２３】
本発明の検体移送用袋は、上述したように、封入容器に付した光学コードを臨む位置に半透明性の読取窓部を設け、該読取窓部を除く部位を不透明としたものであるから、封入容器を袋内部に収容した状態で該光学コードを容易かつ安定して読み取ることができ、該光学コードにより検体を正確かつ安定して管理できる。そして、こうした管理に要する作業の作業性を、上述した従来構成に比して向上することができる。また、検体の移送中に、該検体を視認し難いことから、例えば、健康診断で検尿や検便を被験者が移送する場合に、該被験者に生ずる羞恥心を可及的に緩和することもできる。
【図面の簡単な説明】
【００２４】
【図１】実施例１の検体移送用袋１の、（ａ）正面図と（ｂ）背面図である。
【図２】封入容器５１の分解斜視図である。
【図３】封入容器５１を検体移送用袋１に収容した状態を、正面視した説明図である。
【図４】封入容器５１を検体移送用袋１に収容した状態を、背面視した説明図である。
【図５】封入容器５１を検体移送用袋１に収容する過程を示す説明図である。
【図６】検体移送用袋１と封入容器５１との長手方向長さの関係を示す説明図である。
【図７】検体移送用袋１の開口部５の拡開幅Ｗと封入容器５１の最大外径Ｒとの関係を示す説明図である。
【図８】検体移送管理システム４１を示す説明図である。
【図９】検体移送管理システム４１による検体検査の流れを示す説明図である。
【図１０】従来の、検体検査の流れを示す説明図である。
【発明を実施するための形態】
【００２５】
本発明にかかる実施形態を添付図面に従って説明する。
図１（ａ）は、本実施例の検体移送用袋１の正面図であり、図１（ｂ）は、該検体移送用袋１の背面図である。ここで、本実施例の検体移送用袋１は、検尿に用いられるものであって、検尿を封入した封入容器５１を収容する。
【００２６】
上記の封入容器５１は、図２のように、細長い有底円筒状の容器本体５２と、該容器本体５２の開口部５５を閉鎖する蓋体５３とから構成されている。容器本体５２は、透明な樹脂から成形されてなり、その下部が、先端５６に向かって徐々に細くなっている。蓋体５３は、容器本体５２の開口部５５に嵌入される嵌入部５８と、該嵌入部５８を嵌入した状態で該開口部５５の端縁に着座する円盤状の閉鎖部５９とから構成される。ここで、蓋体５３は、樹脂から成形され、その嵌入部５８が弾性変形可能であることから、開口部５５に嵌入することによって該開口部５５を密閉することができる。これにより、開口部５５を蓋体５３で閉鎖した状態で、容器本体５２内からの液漏れを防止できる。
【００２７】
こうした封入容器５１には、その容器本体５２の所定位置に、識別用の光学コード６２が印刷された識別シール６１が貼付される。尚、光学コード６２はバーコードであり、詳細は後述する。
【００２８】
次に、本発明にかかる検体移送用袋１について詳述する。
検体移送用袋１は、図１のように、樹脂フィルムからなる長方形状シートの袋表材２と袋裏材３とから構成され、一側の短縁に開口部５が形成されてなる（図５，７参照）。この開口部５から、図５のように上記の封入容器５１を袋内部８に入れることができる。尚、この袋内部８の、該開口部５と対向する部位が、本発明にかかる下底部９である。
【００２９】
袋表材２と袋裏材３とはそれぞれ、開口部５を構成する短縁を除く残りの三方の側縁部で相互に連成されている。そして、袋表材２には、図１のように、開口部５を構成する短縁を介して延成された封緘部６を備えている。この封緘部６は、その背面に、所定の接着剤が塗布されており（図示せず）、前記短縁を折返線７として折り返し、袋裏材３に接着することによって、開口部５を封緘する（図４参照）。尚、封緘部６の背面には、図示しない離型フィルムが貼付されており、該離型フィルムを剥がして接着剤を露出することによって、前記のように封緘を行う。
【００３０】
袋表材２には、半透明性の第一窓部１２が設けられ、袋裏材３には、該第一窓部１２と対向するように半透明性の第二窓部１３が設けられている。そして、第一窓部１２と第二窓部１３とが、検体移送用袋１の一側の長縁を介して連続するように形成されており、該第一窓部１２と第二窓部１３とにより読取窓部１１が構成されている。尚、本実施例にあっては、第一窓部１２と第二窓部１３とを略同一の矩形状としている。
【００３１】
袋表材２では、第一窓部１２を除く部位により不透明な遮蔽部１５が構成され、袋裏材３では、第二窓部１３を除く部位により不透明な遮蔽部１６が構成されている。ここで、遮蔽部１５，１６は、袋表材２および袋裏材３を夫々構成する樹脂フィルムに、所定色を印刷することにより形成されており、袋内部８に上記の封入容器５１を収容した状態で、該封入容器５１を外部から視認不能とする（図３，４参照）。一方、上記した読取窓部１１を構成する第一窓部１２と第二窓部１３とは、半透明な色（例えば、クリアイエローやクリアオレンジなど）を印刷することにより形成されており、封入容器５１を外部から視認することが可能である。こうした読取窓部１１では、図３，４のように袋内部に上記の封入容器５１を収容した状態で、該封入容器５１に貼付された識別シール６１の光学コード６２を、所定のコード読取装置により読み取ることが可能である。これに対し、遮蔽部１５，１６では、前記光学コード６２を読取不能である。尚、読取窓部１１の長手方向長さ（第一窓部１２および第二窓部１３の長手方向長さ）は、封入容器５１に貼付された光学コード６２の長手方向長さに比して、長く設定されている。
【００３２】
袋表材２の遮蔽部１５には、検尿用の袋である記載と、検尿した者の氏名などを記載する情報記載欄２３とが印刷されている。さらに、袋表材２の遮蔽部１５と袋裏材３の遮蔽部１６には、様々な注視書きが記載されている。
【００３３】
読取窓部１１は、図３，４のように、袋内部８に上記の封入容器５１を収容した状態で、該封入容器５１に貼付された光学コード６２を臨む長手方向位置に、設けられている。詳述すれば、封入容器５１を、その先端５６から開口部５に挿入して（図５参照）、該先端５６が袋内部８の下底部９に達した状態で、該封入容器５１の光学コード６２を臨む長手方向位置に、読取窓部１１が設けられている。これにより、袋内部８に収容した封入容器５１を下底部９まで入れておくことで、読取窓部１１を介して該封入容器５１の光学コード６２を容易に確認できる。
【００３４】
さらに、読取窓部１１は、その第一窓部１２の横方向長さと第二窓部１３の横方向長さとを合算した総長が、封入容器５１の外周長と略同じとなるように、設定されている。すなわち、第一窓部１２および第二窓部１３の夫々の横方向長さは、封入容器５１の外周長の約１／２である。そして、第一窓部１２と第二窓部１３との各横方向長さを合算した総長が、読取窓部１１の横方向長さである。尚ここで、封入容器５１の外周長は、光学コード６２が貼付されている部位の外周長を示す。こうした横方向長さに設定することで、袋内部８に封入容器５１を収容した状態で、読取窓部１１を、該封入容器５１の外周面に倣わせることによって、該読取窓部１１を介して該封入容器５１の外周面をほぼ視認可能となる。これにより、袋内部８に収容した封入容器５１の光学コード６２を容易に確認することができる。
【００３５】
こうした検体移送用袋１は、上述したように、検尿用の封入容器５１を収容して移送するためのものであるから、該封入容器５１を収容する寸法形状に設定されている。すなわち、図６のように、検体移送用袋１は、封入容器５１を収容する袋内部８の長手方向長さＨが、該封入容器５１の容器長Ｌよりも長く且つ該容器長Ｌの２倍以下の範囲にある所定長さに設定されている。一方、図７のように、開口部５の拡開幅Ｗは、封入容器５１の最大外径Ｒよりも大きく且つ該最大外径Ｒの３倍以下の範囲にある所定幅となるように設定されている。ここで、開口部５の拡開幅Ｗとしては、封入容器５１を挿入できるように該開口部５を拡開した状態で、最も開いている幅を示す。そして、封入容器５１の最大外径Ｒは、封入容器５１の最も大きい外径であることから、容器本体５２の最大外径が相当する場合と、蓋体５３の最大外径が相当する場合とがあり得る。本実施例では、蓋体５３の最大外径が、容器本体５２の最大外径よりも若干大きいことから、蓋体５３の最大外径が、封入容器５１の最大外径Ｒに相当する。こうした開口部５の拡開幅Ｗは、袋内部８の横方向長さの最大値により定まり、さらには袋表材２や袋裏材３の横方向長さにより定まる。
【００３６】
具体的には、検体移送用袋１の袋内部８の長手方向長さＨが、封入容器５１の容器長Ｌの約１．６倍に設定され、開口部５の拡開幅Ｗが、封入容器５１の最大外径Ｒの約２．５倍に設定されている。
【００３７】
このように寸法形状が設定された検体移送用袋１によれば、封入容器５１を挿入して収容すると（図３，４参照）、袋内部８で、該封入容器５１が移動し難く且つ回動し難い。そのため、封入容器５１を、その先端５６が袋内部８の下底部９に達するように収容することによって、該収容した状態を保持することができ、該封入容器５１の光学コード６２を、読取窓部１１を臨む位置に保つことが可能である。これにより、封入容器５１の光学コード６２を読み取る際に、その作業を容易に行うことができる。
【００３８】
また、本実施例にあって、検体移送用袋１には、その両側の長い側縁に、切り取りカット２０，２０が形成されている（図１，３，４参照）。ここで、切り取りカット２０，２０は、図４のように、封緘部６を折返線７で折り返して袋裏材３に接着した状態で、該封緘部６と重ならない部位に形成されている。すなわち、折返線７から切り取りカット２０，２０までの長さ寸法が、封緘部６の長手方向寸法よりも長くなるように、該切り取りカット２０，２０の形成部位が設定されている。これにより、検体移送用袋１を封緘した後に、該切り取りカット２０，２０から容易に開封できるようにしている。
【００３９】
次に、上述した検体移送用袋１を用いて健康診断で検尿を検査するまでの一連の流れについて説明する。この検体移送用袋１による検体の移送には、検体移送管理システム４１が用いられる。
この検体移送管理システム４１は、図８のように、予め被験者の情報を記憶した検体用サーバ４２を備えている。この検体用サーバ４２としては、一般的なコンピュータシステムを適用でき、図示しない中央制御装置ＣＰＵ、記憶装置ＲＡＭ、記憶装置ＲＯＭ、インターネット４５を介してデータを送受信する送受信装置などを備えている。そして、記憶装置ＲＯＭには被験者の情報を記憶したデータベースや所定のプログラムなどが格納されている。検体用サーバ４２は、各健診機関に設置されたコンピュータ４３や検査機関に設置されたコンピュータ４４と、インターネット４５を介して接続されている。そして、これらコンピュータ４３，４４と検体用サーバ４２とは、該コンピュータ４３，４４で所定のＩＤコードやパスワード等を入力することにより被験者の情報を適宜送受信することが可能であり、該検体用サーバ４２のデータベースに蓄積された情報を、健診機関や検査機関で共有することができる。
【００４０】
図９のように、健診機関では、健康診断を受診する各被験者の情報を検体用サーバ４２から取得して、該各被験者の識別情報を示す光学コード（バーコード）６２を夫々生成し、該光学コード６２を印刷した夫々の識別シール６１を得る。この識別シール６１を封入容器５１の容器本体５２に貼付し、各被験者に、該封入容器５１、検体移送用袋１、検尿の注意事項などが記載された案内、折り畳み式の紙コップが夫々送付される。ここで、検体移送用袋１や封入容器５１等の送付には、例えば、これらを収容する所定の袋（図示せず）が利用される。
【００４１】
尚、識別シール６１には、光学コード６２の他に、被験者の氏名なども印刷され、被験者が自分の氏名を確認できるようになっている。また、検体移送用袋１には、上述した読取窓部１１が設けられると共に、該読取窓部１１を除く部位（遮蔽部１５，１６）に、氏名や住所などの情報記載欄２３や注意事項などが印刷されている（図１参照）。ここで、情報記載欄２３は、袋表材２の遮蔽部１５に、読取窓部１１と横方向で隣接する位置に印刷されている。読取窓部１１は、上述したように、その横方向幅の総長が封入容器５１の外径寸法と略同一となっていることから、封入容器５１を検体移送用袋１に収容した状態であっても、情報記載欄２３に氏名等を記入し易いという利点がある。
【００４２】
被験者は、案内に従って、紙コップを用いて採取した検尿を封入容器５１に封入し、該封入容器５１を検体移送用袋１に挿入して、該検体移送用袋１を封緘する（図３，４参照）。この際に、検体移送用袋１の開口部５から、封入容器５１を、その先端５６から検体移送用袋１の開口部５を介して袋内部８に入れ（図５参照）、該先端５６が該袋内部８の下底部９に達するまで挿入する。そして、この状態で、検体移送用袋１を封緘する。これにより、封入容器５１に貼付された識別シール６１が、検体移送用袋１の読取窓部１１に臨む位置に配される。ここで、検体移送用袋１は、上述したように、その袋内部８の長さＨや開口部５の拡開幅Ｗが封入容器５１の寸法形状に応じて設定されていることから、収容した該封入容器５１が袋内部８で動き難い。そのため、封入容器５１は、袋内部８で、識別シール６１が読取窓部１１に臨む位置で保持され易い。
【００４３】
さらに、検体移送用袋１は、読取窓部１１を除く遮蔽部１５，１６によって、袋内部８の封入容器５１を視認不能としていることから、該遮蔽部１５，１６では、該封入容器５１に封入した検尿を外部から視認できない（図３，４参照）。そして、読取窓部１１は、半透明色であることから、封入容器５１の識別シール６１に記載した情報を視認できるものの、該封入容器５１内の検尿を視認し難い。被験者が健診機関に持参する際にあって、該被験者に生ずる羞恥心を可及的に抑制することができる。
【００４４】
被験者が、封入容器５１を収容した検体移送用袋１を、所定の健診機関に持参すると、健診機関では、該検体移送用袋１内の封入容器５１に貼付された光学コード６２を、所定のコード読取装置によって読み取る。このコード読取装置は、健診機関に配された上記のコンピュータ４３に接続されており、読み取った情報を該コンピュータ４３に出力する。これにより、コンピュータ４３で、被験者の情報を、検体用サーバ４２から取得した被験者情報と照合し、該照合を確認すると、検尿の受け取り記憶する。こうした検尿の受け取り確認は、インターネット４５を介して検体用サーバ４２に送信される。
【００４５】
ここで、コード読取装置による光学コード６２の読み取り作業では、検体移送用袋１内に封入容器５１を封緘した状態で、該封入容器５１に貼付された光学コード６２を読み取る。封入容器５１は、上述したように、検体移送用袋１の袋内部８で動き難いことから、光学コード６２が読取窓部１１に臨む位置に保持される。さらに、読取窓部１１の横方向の総長（第一窓部１２の横方向長さと第二窓部１３の横方向長さとを合算した長さ）が、封入容器５１の外周長と略同一としていることから、読取窓部１１を介して封入容器５１の外周方向全域をほとんど視認できる。こうしたことから、検体移送用袋１に封入容器５１が収容された状態で、該封入容器５１の光学コード６２や氏名などを該読取窓部１１を介して容易に確認することができる。そして、コード読取装置により光学コード６２を読み取る際には、読取窓部１１を封入容器５１の外周面に倣わせることによって、該光学コード６２を容易に読み取ることができる。これにより、封入容器５１の光学コード６２を読み取る作業に要する手間を軽減することができる。
【００４６】
健診機関は、こうして被験者から受け取った検体移送用袋１を、所定の検査機関に移送する。検査機関では、検尿を分析する分析器の直前で、健診機関から移送された検体移送用袋１を開封して封入容器５１を取り出す。そして、分析器で分析する際に、封入容器５１に貼付された光学コード６２を所定のコード読取装置により読み取って、該光学コード６２により示された被験者の情報をコンピュータ４４に入力する。コンピュータ４４では、インターネット４５を介して検体用サーバ４２から被験者の情報を取得し、コード読取装置により読み取った情報と照合する。この後、分析器により、封入容器５１に封入された検尿を分析すると、分析結果がコンピュータ４４に入力されて、該分析結果と被験者の情報とが対応付けられて記憶される。そして、分析結果と被験者の情報とがインターネット４５を介して検体用サーバ４２に送信され、該検体用サーバ４２のデータベースに記憶される。こうした検体用サーバ４２に検尿の分析結果が記憶された後は、健診機関で、検体用サーバ４２にインターネット４５を介してアクセスすることによって、各被験者の分析結果を知得できる。
【００４７】
このように本実施例の検体移送用袋１によれば、被験者が検体（検尿）を封入した封入容器５１を封緘してから、検査機関での分析器の直前までの間で、該封入容器５１を取り出すこと無く、該封入容器５１内の検体を正確かつ安定して確認できる。すなわち、検体移送用袋１の読取窓部１１を介して、封入容器５１に貼付された光学コード（バーコード）６２を読み取ることができるため、該光学コード６２が示す被験者の識別情報を確認することによって、検体の移送を正確に管理することができる。これは、検体の管理を、封入容器５１に付した光学コード６２のみによって一元化できることに因る。このように封入容器５１を分析の直前まで検体移送用袋１から取り出す必要が無いことから、移送途中で封入容器５１に作業者が接触してしまうことを可及的に抑制できる。
また、検体移送用袋１は、上述したように、封入容器５１の光学コード６２を臨む位置に読取窓部１１が設けられ、さらに袋内部８で封入容器５１が動き難いことから、光学コード６２を読み取る際に、所定のコード読取装置を用いて比較的容易に読み取り作業を行うことができる。さらに、読取窓部１１の横方向長さが封入容器５１の外周長と略同じとしていることによって、該封入容器５１に付された光学コード６２を確認し易く、これに伴ってコード読取装置による読取作業の手間を軽減できる。
また、検体移送用袋１は、読取窓部１１を除く遮蔽部１５，１６が不透明性な所定色により構成されていることから、袋内部８に収容した封入容器５１内の検体（検尿）を視認不能であると共に、読取窓部１１が半透明性な所定色により構成されていることから、該検体を視認し難い。これにより、袋内部８に収容した封入容器５１内の検体が外部から分かり難いことから、例えば、被験者が健診機関に持参する際に、該被験者に生ずる羞恥心を可及的に抑制できる。
【００４８】
一方、上述した本実施例の検体移送管理システム４１と比較するために、上述した従来の紙製の移送用袋を用いて検体を移送する流れについて、図１０に従って説明する。
健診機関では、被験者の情報をコンピュータなどで独自に管理し、移送用袋に、被験者の情報を示す識別用の光学コードを貼付または印刷する。そして、検尿を封入する封入容器には、識別用の情報（光学コード）が貼付されない。これら移送用袋と封入容器とは、上述した案内や紙製コップと共に、健診機関から被験者に送付される。被験者は、採取した検尿を封入容器に封入して、該封入容器が移送用袋に収容し、健診機関に持参する。健診機関では、移送用袋に付された光学コードを所定のコード読取装置で読み取って、該光学コードが示す識別情報を、コンピュータで管理している被験者の情報と照合し、該識別情報と対応付けられた検査用の識別情報を示す新たな光学コードを生成する。そして、移送用袋から封入容器から取り出して、生成した新たな光学コードが印刷されたシールを、該封入容器に貼付し、該封入容器を再び移送用袋に収容する。これにより、移送用袋に付された光学コードが示す被験者の情報と、該移送用袋に収容された封入容器に付された光学コードが示す検査用の識別情報とが、対応付けられる。この後、封入容器が収容された移送用袋は、健診機関から検査機関へ移送される。検査機関では、分析器の直前で、移送用袋から封入容器を取り出して、該移送用袋に付された光学コードと該封入容器に付された光学コードとをコード読取装置で読み取る。検査機関では、検査対象である検体の情報をコンピュータなどで独自に管理し、前記コード読取装置で読み取った情報を記憶する。そして、封入容器に封入された検尿を分析し、この分析結果を、コード読取装置で読み取った検査用の識別情報と対応付けて、コンピュータに記憶される。尚、検査機関では、被験者の情報を有していないことから、検査用の識別情報に基づいて、移送用袋の光学コードが示す情報と、分析結果のデータとを独自に管理する。こうして分析結果を得ると、検査機関は、検査用の識別情報と分析結果のデータとを健診機関に送られる。健診機関では、分析結果を受けると、該分析結果を、検査用の識別情報を介して、被験者の情報と対応付けられ、記憶管理される。
【００４９】
このように従来の移送用袋を用いて検体を移送する場合には、被験者が取得した検体を、健診機関では該移送用袋に付した光学コードにより管理し、検査機関では封入容器に付した光学コードにより管理する。そして、従来の移送用袋は、紙製であり、内部に収容した封入容器を視認不能であることから、健診機関では、検査機関に移送する前に、封入容器を取り出して、検査用の識別情報を示す光学コードを該封入容器に付さねばならない。ここで、封入容器を移送用袋から一旦取り出す作業では、封入容器への光学コードの貼付間違いや、該封入容器を移送用袋に戻す際の取り間違いなどを防ぐために、一度に多数の封入容器を対象とすることができず、作業効率が低い。さらに、作業者が細心の注意を払う必要があり、これも作業効率を低下する要因となっている。しかし、この作業には、作業者の行為が介在することから、前記間違いを確実に防止できると言い難い。こうした問題は、検体を管理するために、移送用袋から封入容器を取り出す作業を必要とすること、健診機関と検査機関とが別々に情報管理していることに因る。
【００５０】
こうした従来に比して、上述した本発明にかかる検体移送用袋１および検体移送管理システム４１では、封入容器を一旦取り出す作業を必要とせず、該作業に要する負担を生じない。そして、この作業により生ずる検体の取り間違いという問題も無い。さらに、検体移送管理システム４１では、検体を被験者の情報により一元化して管理することから、該被験者の情報や分析結果などを健診機関と検査機関とで共用できる。したがって、管理運営を安定して行うことができると共に、該管理運営に要するコストも削減できる。尚、検体移送管理システム４１は、本発明にかかる検体移送用袋１の適用によって構成されるものであると言える一方、該検体移送用袋１は、検体移送管理システム４１に用いられるものであるとも言える。
【００５１】
本発明にあっては、上述した実施例に限定されるものではなく、上述の実施例以外の構成についても本発明の趣旨の範囲内で適宜変更して実施可能である。
【符号の説明】
【００５２】
１  検体移送用袋
２  袋表材
３  袋裏材
５  開口部
８  袋内部
９  下底部
１１  読取窓部
１２  第一窓部
１３  第二窓部
５１  封入容器
５６  先端
６２  光学コード
【図１】
0006508973.tif 000002
【図２】
0006508973.tif 000003
【図３】
0006508973.tif 000004
【図４】
0006508973.tif 000005
【図５】
0006508973.tif 000006
【図６】
0006508973.tif 000007
【図７】
0006508973.tif 000008
【図８】
0006508973.tif 000009
【図９】
0006508973.tif 000010
【図１０】
0006508973.tif 000011